(57)【要約】【課題】本発明は、前面パネルの引っ掛け爪部と開口部端に設けられる係留用爪部との係留を強固にすることで不正行為を防止するスロットマシンの前面パネルこじ開け防止具を提供することを目的とするものである。【解決手段】前面パネルこじ開け防止具１は、二枚の挟持板部２と、この二枚の挟持板部２を一定間隔を設けて枢支連結する連結部３と、一方の挟持板部２に貫通螺着する挟持幅調整用ネジ部４とから構成される。【選択図】        図１
2004209072.tif 000002
【特許請求の範囲】
【請求項１】
スロットマシンの開閉扉に設けられる照明灯などが収納される開口部の上下端に対して、一方の端部に差し込み連結枢支されると共に他方の端部が開口部端に設けられる係留用爪部に係留し合う引っ掛け用爪部が設けられる前面パネルにおいて、
前記係留用爪部と引っ掛け用爪部が互いに係留し合う状態で挟める間隔を設けて、その中途部が連結枢支される二枚の挟持板部より形成される挟持部と、
該挟持部の板部に貫通螺着される挟持幅を自在に調整することができる挟持幅調整用ネジ部とを備える
ことを特徴とするスロットマシンの前面パネルこじ開け防止具。
【請求項２】
スロットマシンの開閉扉に設けられる照明灯などが収納される開口部の上下端に対して、一方の端部に差し込み連結枢支されると共に他方の端部が開口部端に設けられる係留用爪部に係留し合う引っ掛け用爪部が設けられる前面パネルにおいて、
前記係留用爪部と引っ掛け用爪部が互いに係留し合う状態で外嵌する矩形状の挟持部を備える
ことを特徴とするスロットマシンの前面パネルこじ開け防止具。
【請求項３】
前記挟持部に、互いに重なり合った状態で係留し合う前記係留用爪部と引っ掛け用爪部とを押圧する固定用ネジ部を貫通螺着する
ことを特徴とする請求項２記載のスロットマシンの前面パネルこじ開け防止具。
【請求項４】
前記挟持部が弾性体によって形成され、かつ弾性体の有する付勢力によって互いに重なり合った状態で係留し合う前記係留用爪部と引っ掛け用爪部とを強制的に挟持する
ことを特徴とする請求項２又は３記載のスロットマシンの前面パネルこじ開け防止具。
【発明の詳細な説明】
【０００１】
【発明の属する技術分野】
本発明はスロットマシンの前面パネルこじ開け防止具に関する。詳しくは前面パネルをドライバー等によって不正にこじ開けるのを防止するスロットマシンの前面パネルこじ開け防止具に係るものである。
【０００２】
【従来の技術】
従来よりパチンコ機やスロットマシンには、その筐体内に設置される各種機器の調整を行うために開閉扉が設けられており、この開閉扉はホール従業員の持つカギによって厳重に管理されている。
【０００３】
従って前記開閉扉を開けての不正行為は行い難く、パチンコ玉やコイン払出口からのピアノ線等を差し込むことによる不正行為、あるいはパチンコ機の場合では遊技盤を覆うガラス窓の外周縁が嵌め込まれる枠体との僅かな隙間よりピアノ線等を差し込むことによる不正行為がある。
【０００４】
そこで前記ガラス窓の外周縁が嵌め込まれる枠体との僅かな隙間からの不正侵入を防止することを目的とした防止手段として図１０に示すような遊技機の不正防止部材がある（例えば、特許文献１参照。）。
【０００５】
この遊技機の不正防止部材は、ガラス枠のフレーム１０１に二枚のガラス板１０２、１０２が取付けられ、フレーム１０１の下辺と左右両辺の内側にガラス嵌合溝１０３が形成される。このガラス嵌合溝１０３は、断面コ字状の金属板により１条の溝を形成し、間にスペーサー兼弾性クッション材１０４が挟んで構成され、２枚のガラス板１０２をそれぞれの溝の左右側縁と下縁に嵌合している。そしてガラス板１０２の裏面には、係合縁部１５をガラス嵌合溝１０３内の下縁と左右側縁を嵌合した不正防止部材１０６が取付けられ、この不正防止部材１０６によってピアノ線等による不正侵入を防止する機構とするものである。
【０００６】
【特許文献１】
特開２００２−３５５４３３号（第３図参照。）
【０００７】
【発明が解決しようとする課題】
しかしながらスロットマシンにあってはパチンコ機のようにガラス窓がない替わりに図１１に示すように開閉扉１０７下部に開閉式の前面パネル１０８が設けられている。
【０００８】
この前面パネル１０８は図１２に示すように、開閉扉１０７の下部に形成される開口部１０９の下端に爪挿入部１１０および開口部１０９の上端には係留用爪部１１１が設けられ、爪挿入部１１０に前面パネル１０８の枢支用爪１１２を連結挿入した状態で前面パネル１０８の裏面に突設される引っ掛け爪部１１３を係留用爪部１１１に引っ掛け爪部１１３が有する弾性力によって互いに係留し合うことにより取付ける機構とするものである。
【０００９】
従って前面パネル１０８を取外す場合には開閉扉１０７を開いて裏側より引っ掛け爪部１１３を係留用爪部１１１より引っ掛け爪部１１３の付勢力に抗しながら手で取外すこととなっており、開閉扉１０７が閉まった状態では前面パネル１０８を取外すことができないような機構とされるものである。
【００１０】
しかし前面パネル１０８と開口部１０９との僅かな隙間よりドライバーなどの先端を差し入れて手前方向へ急激な力を加えることによって引っ掛け爪部１１３が係留用爪部１１１の係留より容易に取外すことができ、前面パネル１０８を開いて開口部１０９よりピアノ線などによって筐体内の電源ボックスやコイン払出機への不正行為が行われている。
【００１１】
本発明は、以上の点に鑑みて創案されたものであって前面パネルの引っ掛け爪部と開口部端に設けられる係留用爪部との係留を強固にすることで不正行為を防止するスロットマシンの前面パネルこじ開け防止具を提供することを目的とするものである。
【００１２】
【課題を解決するための手段】
上記の目的を達成するために、本発明に係るスロットマシンの前面パネルこじ開け防止具は、スロットマシンの開閉扉に設けられる照明灯などが収納される開口部の上下端に対して、一方の端部に差し込み連結枢支されると共に他方の端部が開口部端に設けられる係留用爪部に係留し合う引っ掛け用爪部が設けられる前面パネルにおいて、前記係留用爪部と引っ掛け用爪部が互いに係留し合う状態で挟める間隔を設けて、その中途部が連結枢支される二枚の挟持板部より形成される挟持部と、該挟持部の板部に貫通螺着される挟持幅を自在に調整することができる挟持幅調整用ネジ部とを備える。
【００１３】
ここで、挟持幅が自在に調整できる二枚の板部より形成される挟持部によって機種によって厚さの異なる係留用爪部と引っ掛け用爪部に対して対応することが可能となり、かつ挟持幅調整用ネジ部によって互いに重なり合った状態で係留し合う前記係留用爪部と引っ掛け用爪部とを強制的に挟持することが可能となる。
【００１４】
また、上記の目的を達成するために、本発明に係るスロットマシンの前面パネルこじ開け防止具は、スロットマシンの開閉扉に設けられる照明灯などが収納される開口部の上下端に対して、一方の端部に差し込み連結枢支されると共に他方の端部が開口部端に設けられる係留用爪部に係留し合う引っ掛け用爪部が設けられる前面パネルにおいて、前記係留用爪部と引っ掛け用爪部が互いに係留し合う状態で外嵌する矩形状の挟持部を備える。
【００１５】
ここで、係留用爪部と引っ掛け用爪部が互いに係留し合う状態で矩形状の挟持部によって、係留用爪部と引っ掛け用爪部への着脱が容易に行うことが可能となり、かつ外部からの衝撃によって係留が解除されることが無く、不正行為を防止することが可能となる。
【００１６】
【発明の実施の形態】
以下、本発明の実施の形態を図面を参酌しながら説明し、本発明の理解に供する。
【００１７】
図１に、本発明を適用したスロットマシンの前面パネルこじ開け防止具の一例を示すための側面図、図２に図１における平面図、図３に図１における背面図を示す。
ここで示す前面パネルこじ開け防止具１は、二枚の挟持板部２と、この二枚の挟持板部２を一定間隔を設けて枢支連結する連結部３と、一方の挟持板部２に貫通螺着する挟持幅調整用ネジ部４とから構成される。
【００１８】
ここで、前記二枚の挟持板部２は鋼板により形成され、その中途両側端に直角状に折り曲げられる連結部３が折曲形成されるものである。そしてこの連結部３には枢支ピン挿通穴５が穿孔され、前記それぞれの挟持板部２の連結部３を重ねた状態で枢支ピン挿通穴５に枢支ピン６を挿通して止め具７によって係止することで枢支ピン６を支点として二枚の挟持板部２が連結枢支されることとなる。
【００１９】
更に一方の挟持板部２にネジ穴１３が貫設され、このネジ穴１３に挟持幅調整用ネジ部４が貫通螺着される。従って挟持幅調整用ネジ部４の二枚の挟持板部２間に突出する挟持幅調整用ネジ部４の長さを調整することによって挟持幅を自在に調整することが可能となる。
【００２０】
次に図４に本発明を適用したスロットマシンの前面パネルこじ開け防止具の他の例を示すための斜視図である。ここで示す前面パネルこじ開け防止具１は、一枚の鋼板をコ字形状に折曲形成される挟持部８により構成されるものである。
【００２１】
ここで挟持部８には係留用爪部と引っ掛け用爪部が互いに係留し合う状態で差し入れるための差し入れ口９が形成されるものであり、この差し入れ口９の開口幅は係留用爪部と引っ掛け用爪部が互いに重なり合った厚さよりも小さくなるように折り曲げられている。
従って係留用爪部と引っ掛け用爪部が互いに重なり合った状態で差し入れる場合には挟持部８による付勢力に抗しながら差し入れ口９を広げて差し入れることによって係留用爪部と引っ掛け用爪部を挟持することが可能となる。
【００２２】
更に前記差し入れ口９端を外方へ湾曲形状に曲げることにより係留用爪部と引っ掛け用爪部に差し入れる場合にスムーズに挿入することが可能となる。
【００２３】
また、図５は本発明を適用したスロットマシンの前面パネルこじ開け防止具の他の例を示すための側面図、図６は図５における平面説明図である。ここで示す前面パネルこじ開け防止具１は、一枚の鋼板をコ字形状に折曲形成される挟持部８と、この挟持部８に貫通螺着される固定用ネジ部１０より構成されるものである。
【００２４】
ここで、前記挟持部８の挟持幅は係留用爪部と引っ掛け用爪部が互いに重なり合った厚さよりも大き目に折曲形成されるものであり、更に挟持部８の上下いずれかの面に対して固定用ネジ部１０が貫通螺着され、この固定用ネジ部１０の先端を挟持された状態の係留用爪部又は引っ掛け用爪部面を押圧することによって強固な挟持が可能となるものである。
【００２５】
なお、前述した挟持板又は挟持部は必ずしも鋼板より形成される必要性は無く、例えば弾性力を有するステンレス板などの金属板やプラスチックなどの合成樹脂板等いかなるものであっても良いが、耐衝撃性に優れた鋼板が最も好ましい。
【００２６】
また、前述した挟持幅調整用ネジ部、あるいは固定用ネジ部は手によって容易に回せるように頭部分を大きくすることが望ましいものであるが、他に六角レンチなどの工具によって回転させる機構であっても構わない。
【００２７】
前述した本発明を適用したスロットマシンの前面パネルこじ開け防止具の一例では図７に示すように、前面パネルの裏面側へ突設される引っ掛け用爪部１１と開口部端から裏面側へ突設される係留用爪部１２とが互いに係留し、重なり合っている状態で、まず挟持幅調整用ネジ部４を緩めて二枚の挟持板部２の挟持幅を充分の確保してから前記重なり合う引っ掛け用爪部１１と係留用爪部１２とを挟持する。
【００２８】
そして挟持幅調整用ネジ部４の締め付けを行うことにより連結部３を支点として挟持幅が徐々に狭くなり引っ掛け用爪部１１と係留用爪部１２との係留を強固にすることが可能となる。
【００２９】
次に前述した本発明を適用したスロットマシンの前面パネルこじ開け防止具の他の例では図８に示すように、前面パネルの裏面側へ突設される引っ掛け用爪部１１と開口部端から裏面側へ突設される係留用爪部１２とが互いに係留し、重なり合っている状態で、挟持部８の差し入れ口９を前記引っ掛け用爪部１１の先端に差し入れ口９を無理やり差し入れることで差し入れ口９に作用する付勢力によって挟持され引っ掛け用爪部１１と係留用爪部１２との係留を強固にすることが可能となる。
【００３０】
また、前述した本発明を適用したスロットマシンの前面パネルこじ開け防止具の他の例では図９に示すように、前面パネルの裏面側へ突設される引っ掛け用爪部１１と開口部端から裏面側へ突設される係留用爪部１２とが互いに係留し、重なり合っている状態で、まず固定用ネジ部１０を緩めて挟持部８の充分な挟持幅を確保する。
【００３１】
そして前記引っ掛け用爪部１１と係留用爪部１２とを隙間がある状態で挟んだ後に、固定用ナジ部１０を締め付けて、その先端により引っ掛け用爪部１１と係留用爪部１２とを押圧することによって強固な挟持が可能となる。
【００３２】
本発明では引っ掛け用爪部と係留用爪部の厚さが異なる場合でも挟持幅を調整できる機構を設けることによって充分に対応することが可能となる。更に前面パネルこじ開け防止具の着脱が容易に行え、かつ前面パネルこじ開け防止具によって引っ掛け用爪部と係留用爪部とを挟持することによって外部から不正行為による前面パネルの取外しが不可能となる。
【００３３】
【発明の効果】
以上述べて来た如く本発明によれば、前面パネルこじ開け防止具によって引っ掛け用爪部と係留用爪部とを挟持することによって外部からドライバーなどを前面パネルと開口部との隙間に差し込んで衝撃を与えることによる引っ掛け用爪部と係留用爪部との係留の解除を行うことが不可能となる。
【００３４】
また、前面パネルこじ開け防止具の着脱が容易に行えることで他の仕事への影響が殆どなく、一度装着すれば照明灯の交換までは取外すことなく、かつ確実に不正行為を防止することが可能となる。
【図面の簡単な説明】
【図１】本発明を適用したスロットマシンの前面パネルこじ開け防止具の一例を示すための側面図である。
【図２】図１における平面図である。
【図３】図１における背面図である。
【図４】本発明を適用したスロットマシンの前面パネルこじ開け防止具の他の例を示すための斜視図である。
【図５】本発明を適用したスロットマシンの前面パネルこじ開け防止具の他の例を示すための側面図である。
【図６】図５における平面図である。
【図７】本発明を適用したスロットマシンの前面パネルこじ開け防止具の一例の使用状態を示す説明図である。
【図８】本発明を適用したスロットマシンの前面パネルこじ開け防止具の他の例の使用状態を示す説明図である。
【図９】本発明を適用したスロットマシンの前面パネルこじ開け防止具の他の例の使用状態を示す説明図である。
【図１０】パチンコ機における窓ガラスからの不正侵入を防止する機構の一例を示す説明図である。
【図１１】スロットマシンの一例を示す説明図である。
【図１２】前面パネルの取り付け構造の一例を示す説明図である。
【符号の説明】
１      前面パネルこじ開け防止具
２      挟持板部
３      連結部
４      挟持幅調整用ネジ部
５      枢支ピン挿通穴
６      枢支ピン
７      止め具
８      挟持部
９      差し入れ口
１０    固定用ネジ部
１１    引っ掛け用爪部
１２    係留用爪部
１３    ネジ穴
【図１】
2004209072.tif 000003
【図２】
2004209072.tif 000004
【図３】
2004209072.tif 000005
【図４】
2004209072.tif 000006
【図５】
2004209072.tif 000007
【図６】
2004209072.tif 000008
【図７】
2004209072.tif 000009
【図８】
2004209072.tif 000010
【図９】
2004209072.tif 000011
【図１０】
2004209072.tif 000012
【図１１】
2004209072.tif 000013
【図１２】
2004209072.tif 000014